(57)【要約】【課題】センシング可能な表示領域を小さくすることなく、表示領域の周縁部を発光させることができ、装飾性や演出性に優れた携帯情報機器を提供する。【解決手段】表示部と、前記表示部の周縁部に設けられた配線部とを含むディスプレイパネルと、前記ディスプレイパネル上に重ねられており、かつセンシング部と、前記センシング部の周縁部に設けられた配線部とを含むタッチパネルと、前記タッチパネルの前記配線部上に配置されており、かつ前記タッチパネルの前記配線部を介して前記ディスプレイパネルの配線部上に配置されている発光部とを具備する、携帯情報機器。【選択図】図２
2014228787.tif 000002
【特許請求の範囲】
【請求項１】
表示部と、前記表示部の周縁部に設けられた配線部とを含むディスプレイパネルと、
前記ディスプレイパネル上に重ねられており、かつセンシング部と、前記センシング部の周縁部に設けられた配線部とを含むタッチパネルと、
前記タッチパネルの前記配線部上に配置されており、かつ前記タッチパネルの前記配線部を介して前記ディスプレイパネルの配線部上に配置されている発光部と、
を具備する、携帯情報機器。
【請求項２】
前記発光部は、前記タッチパネルの前記センシング部上には配置されておらず、かつ前記ディスプレイパネルの前記表示部上にも配置されていない、請求項１に記載の携帯情報機器。
【請求項３】
前記発光部は、有機ＥＬ素子を含む、請求項１または２に記載の携帯情報機器。
【請求項４】
前記発光部は、発光が互いに独立して制御される複数の有機ＥＬ素子を含む、請求項１〜３のいずれか一項に記載の携帯情報機器。
【請求項５】
前記タッチパネル上に配置された透明外装基板をさらに含み、
前記発光部は、前記透明外装基板と前記タッチパネルとの間に配置され、かつ前記透明外装基板に密着固定されている、請求項１〜４のいずれか一項に記載の携帯情報機器。
【請求項６】
前記透明外装基板の、前記発光部が配置された面とは反対側の面に光拡散部が設けられている、請求項５に記載の携帯情報機器。
【請求項７】
前記タッチパネルと前記ディスプレイパネルと前記発光部と前記透明外装基板の外周を覆う外装部材をさらに含み、
前記外装部材と前記透明外装基板との界面に、前記発光部の発光光を前記透明外装基板に向けて反射させる反射面を含む、請求項５に記載の携帯情報機器。
【請求項８】
前記有機ＥＬ素子は、透明基板と、透明電極と、発光層と、反射電極と、封止層とが順に積層された構造を有し、
前記反射電極が、前記タッチパネルの前記配線部に対向している、請求項３または４に記載の携帯情報機器。
【請求項９】
前記携帯情報機器は、制御部をさらに含み、
前記制御部は、前記タッチパネルの前記センシング部に入力された情報または前記ディスプレイパネルの前記表示部に表示された情報に基づいて、前記発光部の発光を制御する、請求項１〜８のいずれか一項に記載の携帯情報機器。
【発明の詳細な説明】
【技術分野】
【０００１】
本発明は、携帯情報機器に関する。
【背景技術】
【０００２】
携帯情報機器は、薄型化が求められている。また、装飾性や演出性を高めるためなどから、携帯情報機器の表示領域の周縁部を発光させることがある。このように、携帯情報機器の薄型化を実現し、かつ表示領域の周縁部を発光させるデバイスとして、面状発光素子が考えられる。
【０００３】
面状発光素子は、有機ＥＬ素子や無機ＥＬ素子などでありうる。なかでも、薄型化技術が進んでおり、明るさや寿命の点で優れることなどから、有機ＥＬ素子が好適である。
【０００４】
面状発光素子を用いて表示領域の周縁部を発光させる構成として、例えばタッチパネルと、それと同一平面上に配置された発光部（有機ＥＬ素子）とを含む携帯端末が提案されている（例えば特許文献１）。また、タッチパネルと、ディスプレイパネルと、それらの間に配置された有機ＥＬ素子とを含む携帯情報機器なども提案されている（例えば特許文献２）。
【先行技術文献】
【特許文献】
【０００５】
【特許文献１】特開２０１２−２０８８６４号公報
【特許文献２】特開２００８−１５８７５８号公報
【発明の概要】
【発明が解決しようとする課題】
【０００６】
しかしながら、特許文献１および２では、タッチパネルや有機ＥＬ素子がそれぞれ額縁状の配線部を有することは、何ら考慮されていない。
【０００７】
例えば、静電容量式のタッチパネルは、面状に設けられたタッチ電極（センシング部）と、その周縁部に額縁状に設けられた配線（配線部）とを有する。
【０００８】
有機ＥＬ素子は、発光層と、それを挟持する一対の薄膜電極とを含み；外部との配線の接続や、薄膜電極の電気抵抗による電圧降下の抑制などの観点から、発光層の周縁部に設けられた電極をさらに含むことが一般的である。また、有機ＥＬ素子は、発光層に含まれる有機材料が酸素や水によって劣化しやすい。そのような酸素や水による劣化を抑制するため、有機ＥＬ素子の発光層は、バリア性の高い基板と封止基板とで挟持され、かつ発光層の周縁部が封止剤などで封止されている。このように、有機ＥＬ素子は、発光層の周縁部に額縁状に設けられた電極や封止部などの非発光部を有する。
【０００９】
そして、特許文献１の図１に示されるように、タッチパネルと有機ＥＬ素子とを同一平面上に隙間なく配置しようとすると、タッチパネルの配線部と有機ＥＬ素子の非発光部とを同一面上で交差させる必要があり、実現が困難であった。仮に、タッチパネルと有機ＥＬ素子との間に隙間を設け、当該隙間にタッチパネルの配線部と有機ＥＬ素子の非発光部を配置すると、タッチパネルのセンシング部が小さくなり、当該センシング部と一致させるべき携帯端末の表示領域も小さくなる。即ち、筺体の額縁部が大きくなり、（センシング可能な）表示領域が小さくなるという問題があった。
【００１０】
一方、特許文献２の図１に示されるように、タッチパネルとディスプレイパネルとの間に有機ＥＬ素子を配置すると、筺体の端部付近で、有機ＥＬ素子の光路上に、タッチパネルの配線部が存在する。それにより、タッチパネルの配線部が、有機ＥＬ素子によって照らされて外部から視認されたり、著しく光量が低下したりしやすかった。また、有機ＥＬ素子の発光光を取り出しやすくするための構成なども示されていない。これらのことから、特許文献２の携帯情報機器は、十分な装飾性や演出性を有するものではなかった。
【００１１】
本発明は、上記事情に鑑みてなされたものであり、表示領域を小さくすることなく、表示領域の周縁部を発光させることができ、装飾性や演出性に優れた携帯情報機器を提供することを目的とする。
【課題を解決するための手段】
【００１２】
［１］  表示部と、前記表示部の周縁部に設けられた配線部とを含むディスプレイパネルと、前記ディスプレイパネル上に重ねられており、かつセンシング部と、前記センシング部の周縁部に設けられた配線部とを含むタッチパネルと、前記タッチパネルの前記配線部上に配置されており、かつ前記タッチパネルの前記配線部を介して前記ディスプレイパネルの配線部上に配置されている発光部とを具備する、携帯情報機器。
［２］  前記発光部は、前記タッチパネルの前記センシング部上には配置されておらず、かつ前記ディスプレイパネルの前記表示部上にも配置されていない、［１］に記載の携帯情報機器。
［３］  前記発光部は、有機ＥＬ素子を含む、［１］または［２］に記載の携帯情報機器。
［４］  前記発光部は、発光が互いに独立して制御される複数の有機ＥＬ素子を含む、［１］〜［３］のいずれかに記載の携帯情報機器。
［５］  前記タッチパネル上に配置された透明外装基板をさらに含み、前記発光部は、前記透明外装基板と前記タッチパネルとの間に配置され、かつ前記透明外装基板に密着固定されている、［１］〜［４］のいずれかに記載の携帯情報機器。
［６］  前記透明外装基板の、前記発光部が配置された面とは反対側の面に光拡散部が設けられている、［５］に記載の携帯情報機器。
［７］  前記タッチパネルと前記ディスプレイパネルと前記発光部と前記透明外装基板の外周を覆う外装部材をさらに含み、前記外装部材と前記透明外装基板との界面に、前記発光部の発光光を前記透明外装基板に向けて反射させる反射面を含む、［５］に記載の携帯情報機器。
［８］  前記有機ＥＬ素子は、透明基板と、透明電極と、発光層と、反射電極と、封止層とが順に積層された構造を有し、前記反射電極が、前記タッチパネルの前記配線部に対向している、［３］または［４］に記載の携帯情報機器。
［９］  前記携帯情報機器は、制御部をさらに含み、前記制御部は、前記タッチパネルの前記センシング部に入力された情報または前記ディスプレイパネルの前記表示部に表示された情報に基づいて、前記発光部の発光を制御する、［１］〜［８］のいずれかに記載の携帯情報機器。
【発明の効果】
【００１３】
本発明によれば、表示領域を小さくすることなく、表示領域の周縁部を発光させることができ、装飾性や演出性に優れた携帯情報機器を提供することができる。
【図面の簡単な説明】
【００１４】
【図１】本発明の携帯情報機器の一実施形態を示す上面図である。
【図２】図１のＡ−Ａ線断面の一例を示す部分断面図である。
【図３】図２のディスプレイパネル３０の一例を示す上面図である。
【図４】図２のタッチパネル５０の一例を示す上面図である。
【図５Ａ】図２の発光部７０の一例を示す上面図である。
【図５Ｂ】図５ＡのＡ−Ａ線断面図である。
【図６】携帯情報機器１０の発光制御の一例を説明する図である。
【図７】図１のＡ−Ａ線断面の他の例を示す部分断面図である。
【図８Ａ】図７の発光部７０の一例を示す上面図である。
【図８Ｂ】図８ＡのＡ−Ａ線断面図である。
【発明を実施するための形態】
【００１５】
本発明者らは、鋭意検討した結果、発光部を、タッチパネルの配線部上に配置し、かつ（該タッチパネルの配線部を介して）ディスプレイパネルの配線部上に配置することで、携帯情報機器の（センシング可能な）表示領域を小さくすることなく、その周縁部を発光させうることを見出した。
【００１６】
また、ディスプレイパネルと、タッチパネルと、発光部とをこの順に積層することで、発光部の光路上にタッチパネルの配線部を存在させないようにすることができる。さらに、好ましくは携帯情報機器に光拡散部や反射面などを設けることで、発光部の発光光を取り出しやすくすることができる。これらにより、筐体の端部まで十分な光量で発光させることができ、十分な装飾性や演出性が得られることを見出した。
【００１７】
本発明の携帯情報機器の例には、多機能携帯電話、デジタルカメラ、ゲーム機、タブレット端末などが含まれる。
【００１８】
図１は、本発明の携帯情報機器の一実施形態を示す上面図である。本実施形態は、本発明の携帯情報機器１０が多機能携帯電話である場合の一例であり；その表示領域１３０Ａの周縁部を発光させるものである。図２は、図１のＡ−Ａ線断面の一例を示す部分断面図である。図２に示されるように、本発明の携帯情報機器１０は、ディスプレイパネル３０と、タッチパネル５０と、発光部７０と、それらを収納する筐体９０とを含む。筐体９０は、箱状の外装部材１１０と、蓋状の透明外装基板１３０とを含み、透明外装基板１３０の一部が表示領域１３０Ａとなる。図２では、発光部７０の構成を簡略化して示している。
【００１９】
ディスプレイパネル３０は、ＬＣＤ（液晶表示パネル）や有機ＥＬ素子等でありうる。これらのディスプレイパネル３０は、通常、表示部３１と、その周縁部に設けられた配線部３３とを含みうる（図３参照）。
【００２０】
表示部３１は、情報を表示する領域であり、例えば矩形状に設けられる。配線部３３は、表示部３１から引き出された配線などが配置された領域であり、表示部３１の周縁部に額縁状（例えば矩形枠状）に設けられる。
【００２１】
タッチパネル５０は、種々の方式のものを用いることができ、その例には、抵抗膜方式、静電容量結合方式、赤外線方式、超音波方式、電磁誘導結合方式などが含まれる。なかでも、低コストである点などから、静電容量結合方式のタッチパネルが好ましい。静電容量結合方式のタッチパネルの例には、特開２００８−２３３９７６号や、特開２０１２−２０８７４９号に記載のものが含まれる。
【００２２】
タッチパネル５０は、センシング部５１と、その周縁部に配置された配線部５３とを含む（図４参照）。
【００２３】
センシング部５１は、ディスプレイパネル３０の表示部３１と重なるように配置され、タッチパネル５０への入力を感知する領域（アクティブ領域）である。静電容量結合方式のタッチパネル５０の場合、センシング部５１は、例えば矩形状のタッチ電極を含みうる。
【００２４】
配線部５３は、センシング部５１の周縁部に額縁状に設けられた、入力を感知しない領域（非アクティブ領域）である。例えば、静電容量結合方式のタッチパネル５０の場合、配線部５３は、例えばタッチ電極の周縁部に設けられた額縁配線や；額縁配線の４隅に接続され、タッチ位置を検出するための位置検出回路に接続される複数の引き出し配線などを含みうる。
【００２５】
発光部７０は、タッチパネル５０の配線部５３上に、直接または他の部材を介して配置されており；かつ該タッチパネル５０の配線部５３を介してディスプレイパネル３０の配線部３３上に配置されている（図２参照）。それにより、発光部７０があるにも係わらず、（センシング可能な）表示領域１３０Ａを大きくすることができる。また、発光部７０は、（センシング可能な）表示領域１３０Ａをより大きくするために、タッチパネル５０のセンシング部５１上には配置されず；かつディスプレイパネル３０の表示部３１上にも配置されないことが好ましい。
【００２６】
発光部７０は、タッチパネル５０の配線部５３上の全体に設けられてもよいし、一部のみに設けられてもよい。要は、タッチパネル５０の配線部５３上のうち、必要な部分に発光部７０が設けられればよい。
【００２７】
発光部７０は、一以上の有機ＥＬ素子を含み、好ましくは複数の有機ＥＬ素子を含みうる。複数の有機ＥＬ素子は、同一平面上に配置されてもよいし、積層されてもよい。種々のパターンに発光させうることから、複数の有機ＥＬ素子は、互いに独立して制御されることが好ましい。
【００２８】
同一平面上に配置された複数の有機ＥＬ素子の発光を互いに独立して制御することで、例えば表示領域１３０Ａの周縁部の任意の箇所を順次発光させるなどして、動きのある発光イルミネーションを表示できる。また、積層された複数の有機ＥＬ素子の発光を互いに独立して制御することで、発光部７０の発光強度や発光色を変化させることができる。
【００２９】
図５Ａは、図２の発光部７０の一例を示す上面図であり；図５Ｂは、図５ＡのＡ−Ａ線断面図である。図５Ａに示されるように、発光部７０は、枠状の有機ＥＬ素子７１と、該有機ＥＬ素子７１と外部回路と電気的に接続するための端子部７３とを含む。
【００３０】
枠状の有機ＥＬ素子７１の内周領域７１ａの大きさは、ディスプレイパネル３０の表示部３１と同じか、それよりも大きいことが好ましい。同様に、枠状の有機ＥＬ素子７１の内周領域７１ａの大きさは、タッチパネル５０のセンシング部５１と同じか、それよりも大きいことが好ましい。
【００３１】
枠状の有機ＥＬ素子７１は、透明基板７５と、一方の電極である透明電極７７と、発光層７９と、他方の電極である反射電極８１と、封止層８３とがこの順に積層された構造を有しうる。このように、発光層７９を封止層８３で封止することで、外部からの空気や水の侵入を高度に遮断しうる。
【００３２】
透明基板７５は、ガラス、樹脂材料、またはセラミック材料で構成されうる。なかでも、透明基板７５は、透明樹脂フィルムであることが好ましい。透明樹脂フィルムを構成する樹脂材料の例には、ポリエチレンテレフタレート（ＰＥＴ）、ポリエチレンナフタレート（ＰＥＮ）等のポリエステル；ポリエチレン、ポリプロピレン等のポリオレフィン；セロファン、セルロースアセテート等のセルロースエステル類；ポリ塩化ビニリデン、ポリビニルアルコール、ポリエチレンビニルアルコール、シンジオタクティックポリスチレン、ポリカーボネート、ポリメチルペンテン、ポリエーテルケトン、ポリイミド、ポリエーテルスルホン（ＰＥＳ）、ポリフェニレンスルフィド、ポリスルホン類、ポリエーテルイミド、ポリアミド、フッ素樹脂、（メタ）アクリル樹脂、ノルボルネン樹脂などのシクロオレフィン樹脂等が含まれる。
【００３３】
透明電極７７は、陽極と陰極のうち一方の電極であって、直接または他の部材を介して透明外装基板１３０と対向するように配置されうる。透明電極７７の例には、ＩＴＯ、ＩＺＯ、ＡＺＯ、ＧＺＯ、ＡＴＯ、ＳｎＯ２、ＺｎＯ、ＣｕＩ等の透明導電膜や；Ａｇ、Ａｕ、Ａｌ等の金属薄膜などが含まれる。
【００３４】
発光層７９は、主にドーパント化合物とホスト化合物とを含む。ホスト化合物とドーパント化合物（発光材料）の種類をそれぞれ選択することで、任意の発光色を表現することができる。これらの化合物は、低分子量；好ましくは分子量１５００以下の有機化合物でありうる。ホスト化合物は、室温（２５℃）におけるリン光発光のリン光量子収率が０．１未満の化合物であることが好ましく、その具体例には、特開２００１−２５７０７６号公報、同２００２−３０８８５５号公報、同２００１−３１３１７９号公報、同２００２−３１９４９１号公報などに記載された化合物が挙げられる。ドーパント化合物（発光材料）は、蛍光性化合物、リン光発光材料を用いることができ、中でもリン光性ドーパント化合物が好ましい。リン光発光材料は、好ましくは元素の周期表で８〜１０族の金属を含有する錯体系化合物であり、より好ましくはイリジウム化合物、オスミウム化合物、白金化合物（白金錯体系化合物）または希土類錯体であり、さらに好ましくはイリジウム化合物である。
【００３５】
反射電極８１は、陽極と陰極のうち他方の電極であって、直接または他の部材を介してタッチパネル５０の配線部５３に対向するように配置されうる。反射電極８１の例には、Ａｇ、Ａｕ、Ａｌなどの金属膜が含まれる。
【００３６】
封止層８３は、例えばガラス材料；ＳｉＯＮ，ＳｉＮ、ＳｉＯ２、アルミナ等の無機膜；樹脂材料などで構成されうる。
【００３７】
枠状の有機ＥＬ素子７１は、例えば透明基板７５にＩＴＯ等の透明導電金属薄膜などの透明電極７７を形成した後；その上に発光層７９を蒸着等により形成する。発光層７９上とその周囲の透明基板７５上に、Ａｌ等の金属膜などの反射電極８１を形成する。そして、反射電極８１上に、透明樹脂フィルムなどの封止層８３を、透明接着剤層８５を介して貼り合わせて、有機ＥＬ素子７１を得ることができる。
【００３８】
図５Ｂでは、有機ＥＬ素子７１の層構成を簡略化して示したが、具体的には、以下のような層構成をとることができる。即ち、透明電極７７の上には、有機機能層ユニット（不図示）がさらに形成されている。有機機能層ユニットは、発光層７９の他に、例えば、正孔輸送層、正孔阻止層、電子輸送層等の有機機能層から構成されている。この有機機能層ユニット上に、例えば、反射電極８１が設けられ、最後に最表層として封止層８３（封止部材）が設けられている。
【００３９】
発光色が異なる有機機能層または発光層が複数積層されたタンデム型の有機ＥＬ素子７１とすることも可能である。発光層７９間に中間層を設けることもできる。また、発光層７９間に中間電極を設けることは、調色を容易にすることから好ましい態様である。
【００４０】
有機ＥＬ素子７１の層構造は、種々の態様を適用することが可能で、例えば、下記（ｉ）〜（ｖ）の層構造を有していてもよい。また、下記の発光層は、青色発光層、緑色発光層および赤色発光層からなるものが好ましい。
【００４１】
（ｉ）透明基板／陽極／発光層／電子輸送層／陰極／封止用接着剤／封止部材
（ii）透明基板／陽極／正孔輸送層／発光層／電子輸送層／陰極／封止用接着剤／封止部材
（iii）透明基板／陽極／正孔輸送層／発光層／正孔阻止層／電子輸送層／陰極／封止用接着剤／封止部材
（iv）透明基板／陽極／正孔輸送層／発光層／正孔阻止層／電子輸送層／陰極バッファー層／陰極／封止用接着剤／封止部材
（ｖ）透明基板／陽極／陽極バッファー層／正孔輸送層／発光層／正孔阻止層／電子輸送層／陰極バッファー層／陰極／封止用接着剤／封止部材
【００４２】
注入層（正孔注入層、電子注入層）
注入層は、駆動電圧の低下や発光輝度の向上のために、必要に応じて電極と有機機能層との間に設けられる層である。注入層としては、電子注入層と正孔注入層とがあり、上記のように陽極と発光層または正孔輸送層との間、および陰極と発光層または電子輸送層との間に設けられうる。注入層の詳細は、「有機ＥＬ素子とその工業化最前線（１９９８年１１月３０日エヌ・ティー・エス社発行）」の第２編第２章「電極材料」（１２３〜１６６頁）に記載されている。
【００４３】
正孔注入層としては、例えば、特開平９−４５４７９号公報、同９−２６００６２号公報、同８−２８８０６９号公報等にもその詳細が記載されている。正孔注入層に適用可能な正孔注入材料としては、トリアゾール誘導体、オキサジアゾール誘導体、イミダゾール誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体等を含むポリマーやアニリン系共重合体、ポリアリールアルカン誘導体、または導電性ポリマーが挙げられ；好ましくはポリチオフェン誘導体、ポリアニリン誘導体、ポリピロール誘導体であり；さらに好ましくはポリチオフェン誘導体である。
【００４４】
電子注入層は、必要に応じて設けられうる。電子注入層としては、例えば、特開平６−３２５８７１号公報、同９−１７５７４号公報、同１０−７４５８６号公報等にその詳細が記載されており；具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。上記バッファー層（注入層）は、ごく薄い膜であることが望ましく、フッ化カリウム、フッ化ナトリウムで構成されたものが好ましい。
【００４５】
正孔輸送層
正孔輸送層を構成する正孔輸送材料としては、上記正孔注入層で適用するのと同様の化合物のほか、ポルフィリン化合物、芳香族第３級アミン化合物およびスチリルアミン化合物などを用いることができる。特に芳香族第３級アミン化合物を用いることが好ましい。
【００４６】
正孔輸送層は、湿式塗布法（例えば、スピンコート法、キャスト法、インクジェット法を含む印刷法等）を用いて、塗布、乾燥することにより形成することができる。また、その他の正孔輸送層の形成方法としては、上記正孔輸送材料を、例えば、真空蒸着法、ラングミュア−ブロジェット法（ＬＢ法）等の公知の方法により、薄膜化して形成することができる。
【００４７】
電子輸送層
電子輸送層は、電子を輸送する機能を有する材料からなり、単層で設けてもよいし、複数層設けてもよい。例えば、正孔ブロック層／電子輸送層の組み合わせとすることができる。
【００４８】
発光層に対して陰極側に隣接する電子輸送層に用いられる電子輸送材料（正孔ブロック材料を兼ねる）としては、陰極より注入された電子を発光層に伝達する機能を有していればよく；その材料としては、従来公知の化合物の中から任意のものを選択して用いることができる。例えば、フルオレン誘導体、カルバゾール誘導体、アザカルバゾール誘導体、オキサジアゾール誘導体、トリアゾール誘導体、シロール誘導体、ピリジン誘導体、ピリミジン誘導体、８−キノリノール誘導体等の金属錯体等が挙げられる。
【００４９】
端子部７３は、１つだけ設けられてもよいし（図５Ａ参照）、複数設けられてもよい。端子部７３を複数設けることで、枠状の有機ＥＬ素子７１全体に均一に電圧を印加することができ、輝度ムラを抑制しやすい。
【００５０】
ディスプレイパネル３０、タッチパネル５０および発光部７０は、接着層や緩衝材によって筺体９０内に保持されうる。例えば、ディスプレイパネル３０とタッチパネル５０との間；およびタッチパネル５０と発光部７０との間に、緩衝材６１がそれぞれ配置されうる（図２参照）。
【００５１】
発光部７０は、空気層を介さずに透明外装基板１３０に密着固定されていることが好ましい。密着固定される例には、発光部７０が、接着層８７を介して透明外装基板１３０に接着された態様が含まれる（図２参照）。接着層８７は、ＯＣＡフィルムなどの透明接着剤で構成されうる。このように、各部材は空気よりも屈折率が高いことから、透明外装基板１３０と発光部７０とが空気層を介さずに密着固定されることで、発光部７０の発光光が、透明基板７５と空気層との界面で全反射せず、透明外装基板１３０に入射させやすくすることができる。
【００５２】
密着固定される例には、発光部７０が透明外装基板１３０上に直接形成された態様も含まれる。その場合、有機ＥＬ素子７１の透明基板７５は省略することができる。それにより、携帯情報機器１０を薄型化することができる。
【００５３】
透明外装基板１３０は、タッチパネル５０と発光部７０のほぼ全面を覆うように配置されうる。透明外装基板１３０は、ガラスやポリカーボネート等の樹脂材料で構成されうる。透明外装基板１３０の厚みは、１〜３ｍｍ程度としうる。
【００５４】
透明外装基板１３０の、発光部７０が配置された面とは反対側の面には、発光部７０からの発光光を拡散させるために、光拡散部１３３が設けられることが好ましい。光拡散部１３３を設けることで、その部分の透明外装基板１３０の光透過量を調整することができ、例えば半透過性にすることができる。また、光拡散部１３３を設けることで、透明外装基板１３０内を全反射する光成分を外部へ取り出しやすくすることができ、光取り出し効果が得られ、発光効率を向上させることが可能となる。
【００５５】
光拡散部１３３は、透明外装基板１３０上に設けられた、顔料微粒子などの微粒子を含むコーティング層（印刷層）や加飾フィルムなどでありうる。光拡散部１３３は、装飾性を高める、あるいは筐体内部を視認されないようにするためなどから、着色されていることが好ましい。
【００５６】
透明外装基板１３０と外装部材１１０との界面には、反射面１３５が設けられることが好ましい。発光部７０の発光光のうち、透明外装基板１３０内を伝播する光を、透明外装基板１３０（またはユーザ側）に向けて反射させやすくするためである。反射面１３５は、前述の透明外装基板１３０内を伝播する光を、透明外装基板１３０（またはユーザ側）に向けて反射するように傾斜して設けられ（図２参照）、例えばＡｌ等の蒸着膜などで構成されうる。
【００５７】
携帯情報機器１０は、制御部（不図示）をさらに含むことが好ましい。制御部は、タッチパネル５０のセンシング部５１に入力された情報やディスプレイパネル３０の表示部３１に表示された情報などに基づいて、発光部７０の発光を制御できるように構成されている。
【００５８】
例えば、制御部（不図示）は、タッチパネル５０のセンシング部５１で入力された信号を、ホストＣＰＵ１２３に出力するセンシング制御ＩＣ１５１と；該ホストＣＰＵ１５３から入力された信号に基づき、発光部７０（有機ＥＬ素子）を駆動させる発光素子駆動ＩＣ１５５とを含みうる（後述の図６参照）。
【００５９】
本実施形態では、前述のように、発光部７０を、タッチパネル５０の配線部５３上に配置し、かつ（タッチパネル５０の配線部５３を介して）ディスプレイパネル３０の配線部３３上に配置する。それにより、センシング可能な表示領域１３０Ａを小さくすることなく、表示領域１３０Ａの周縁部に発光部７０を配置することができる。
【００６０】
また、ディスプレイパネル３０と、タッチパネル５０と、発光部７０とをこの順に積層することで、発光部７０の光路上にタッチパネル５０の配線部５３を存在させないようにすることができる。それにより、筐体９０の端部まで十分な光量で発光させることができ、装飾性や演出性を高めうる。
【００６１】
さらに、透明外装基板１３０上に光拡散部１３３を設けることで、発光部７０からの光の透過量を調整しうる。また、透明外装基板１３０と外装部材１１０との界面に反射面１３５を設けることで、発光部７０の発光光を、透明外装基板１３０の端部まで良好に導くことができる。それにより、携帯情報機器１０の表示領域１３０Ａの周縁部を、筺体９０の端部まで明るく照らすことができ、装飾性や演出性を一層高めうる。
【００６２】
具体的には、有機ＥＬ素子７１の配光特性は、視野角依存性を低減するためなどから、ランバーシアン配光となるように設定されうる。このような配光特性を有する有機ＥＬ素子７１の発光光は、斜め方向に出射する光を含みうる（図２の点線矢印α）。斜め方向に出射する光は、透明外装基板１３０の、発光部７０が配置されない領域上の外側面まで到達しうる。透明外装基板１３０の外側面に到達した光は、光拡散部１３３の微粒子等によって散乱される（図２の点線矢印α１）。その結果、ユーザには、その部分が発光してみえる。
【００６３】
また、透明外装基板１３０の光拡散部１３３が設けられた領域は、半透過性を示すことから、発光部７０の発光光の一部は、透明外装基板１３０の内面で反射する（図２の点線矢印α２）。このような内面反射光は、透明外装基板１３０内を伝播しうる。透明外装基板１３０と外装部材１１０との界面に反射面１３５を設けることで、透明外装基板１３０内を伝播する光を、ユーザ側へ導くことができる（図２の点線矢印α３）。それにより、筐体９０の端部までより明るく照らすことができる。
【００６４】
発光部７０の発光は、任意に制御することができる。例えば、タッチパネル５０への入力操作や表示領域１３０Ａの表示内容に基づいて、発光部７０を任意に発光させるように制御することができる。
【００６５】
例えば、ユーザがゲームなどでステージをクリアした際に、表示領域１３０Ａにステージをクリアしたことが表示され、その表示情報に基づいて表示領域１３０Ａの周縁部の発光部７０を発光させることができる。それにより、ユーザの感情を盛り上げ、優れた演出効果を得ることができる。
【００６６】
図６は、携帯情報機器１０の発光制御の一例を説明する図である。図６に示されるように、タッチパネル５０のセンシング部５１にて感知された入力操作は、制御回路（不図示）のセンシング制御ＩＣ１５１を介してホストＣＰＵ１５３に伝達される。ホストＣＰＵ１５３が、発光素子駆動ＩＣ１５５に対して発光部７０を駆動させるための信号を出力し；発光素子駆動ＩＣ１５５が、発光部７０の所定の部分を発光させる。それにより、表示領域１３０Ａの周縁部を任意に発光させることができる。
【００６７】
本実施形態では、一以上の有機ＥＬ素子を透明外装基板１３０の内側面に枠状に配置して発光部７０を構成する例を示したが、これに限定されない。例えば、額縁状に設けられた発光層を有する（ディスプレイパネル３０やタッチパネル５０とほぼ同じ大きさの）平板状の有機ＥＬ素子を透明外装基板１３０の内側面に配置して発光部７０を構成してもよい。
【００６８】
図７は、図１のＡ−Ａ線断面の他の例を示す部分断面図である。図８Ａは、図７の発光部７０の一例を示す上面図であり；図８Ｂは、図８ＡのＡ−Ａ線断面図である。本実施形態は、携帯情報機器１０’の発光部７０が平板状の有機ＥＬ素子７１で構成された例である。図７および図８Ｂに示されるように、平板状の有機ＥＬ素子７１は、透明基板７５と封止層８３が、ディスプレイパネル３０やタッチパネル５０とほぼ同程度の大きさに設けられ、透明電極７７が透明基板７５のほぼ全面に設けられ、かつ発光層７９と反射電極８１が額縁状に設けられた以外は図５Ｂとほぼ同様に構成されうる。
【００６９】
この実施形態では、透明電極７７は透明であることから、表示領域１３０Ａの表示内容が見えにくくなることはない（図７参照）。また、シート抵抗の比較的高い透明電極７７の面積を大きくすることができるため、シート抵抗によって生じる輝度ムラを抑制しやすくすることができる。
【産業上の利用可能性】
【００７０】
本発明によれば、センシング可能な表示領域を小さくすることなく、表示領域の周縁部を発光させることができ、装飾性や演出性に優れた携帯情報機器を提供することができる。
【符号の説明】
【００７１】
１０、１０’  携帯情報機器
３０  ディスプレイパネル
３１  表示部
３３  （ディスプレイパネルの）配線部
５０  タッチパネル
５１  センシング部
５３  （タッチパネルの）配線部
６１  緩衝材
７０  発光部
７１  有機ＥＬ素子
７３  端子部
７５  透明基板
７７  透明電極
７９  発光層
８１  反射電極
８３  封止層
８５  透明接着剤層
８７  接着層
９０  筐体
１１０  外装部材
１３０  透明外装基板
１３０Ａ  （携帯情報機器の）表示領域
１３３  光拡散部
１３５  反射面
１５１  センシング制御ＩＣ
１５３  ホストＣＰＵ
１５５  発光素子駆動ＩＣ
【図１】
2014228787.tif 000003
【図２】
2014228787.tif 000004
【図３】
2014228787.tif 000005
【図４】
2014228787.tif 000006
【図５Ａ】
2014228787.tif 000007
【図５Ｂ】
2014228787.tif 000008
【図６】
2014228787.tif 000009
【図７】
2014228787.tif 000010
【図８Ａ】
2014228787.tif 000011
【図８Ｂ】
2014228787.tif 000012